(57)【要約】【課題】  縦リブの閉断面空間内への充填物の注入、充填作業を簡単化して充填物の注入、充填作業工数を低減するとともにメインテナンス性を向上し、走行路の交通止めを要することなくあるいは短時間の交通止めで以って鋼床版の補強を可能とし、さらに縦リブ閉鎖空間及びデッキプレート下面と縦リブとの間の開放空間部の双方におけるデッキプレートの局部曲げ剛性を増大して鋼床版の強度を増大可能とした鋼床版及び該鋼床版の補強方法を提供する。【解決手段】  走行路の床版を構成するデッキプレートの縦方向（走行線方向）に延設され閉断面に形成された縦リブを該デッキプレートの幅方向に複数個配置して該デッキプレートの下面に固着してなる鋼床版において、前記縦リブの閉断面空間内に、エラストマー材、水等の流体、ゲル状物質等によりなる流動体または非圧縮性の変形体の何れか一方からなる充填物を充填したことを特徴とする。【選択図】    図３
2005240537.tif 000002
【特許請求の範囲】
【請求項１】
走行路の床版を構成するデッキプレートの縦方向（走行線方向）に延設され閉断面に形成された縦リブを、該デッキプレートの幅方向に複数個配置して該デッキプレートの下面に固着してなる鋼床版構造において、前記縦リブの閉断面空間内に、流動体または非圧縮性の変形体の何れか一方からなる充填物を充填したことを特徴とする鋼床版構造。
【請求項２】
前記充填物は、エラストマー材からなることを特徴とする請求項１記載の鋼床版構造。
【請求項３】
前記充填物は、水等の流体からなることを特徴とする請求項１記載の鋼床版構造。
【請求項４】
前記充填物は、ゲル状物質からなることを特徴とする請求項１記載の鋼床版構造。
【請求項５】
走行路の床版を構成するデッキプレートの縦方向（走行線方向）に延設され閉断面に形成された縦リブを該デッキプレートの幅方向に複数個配置して該デッキプレートの下面に固着してなる鋼床版構造において、前記縦リブの閉断面空間内に、液体を含む流動体またはコンクリート及び非圧縮性の変形体を含む固体の、何れか一方または双方からなる充填物を充填するとともに、前記デッキプレートの下面と縦リブの側部との間に補強部材を架設したことを特徴とする鋼床版構造。
【請求項６】
前記補強部材は、前記縦リブの側部に固定されて縦方向（走行線方向）に伸びる縦方向補強部材あるいは相隣り合う前記縦リブの間に架設されて前記縦方向補強部材とほぼ直角方向に伸び両端部を該縦リブに固定された横方向補強部材のいずれか一方または双方により構成されてなることを特徴とする請求項５記載の鋼床版構造。
【請求項７】
前記補強部材は、上面が前記デッキプレートの下面に当接可能に配置されるとともに、相隣り合う前記縦リブの間に配設されて該縦リブと同方向に伸び、両端部を横桁に取り付けられた縦方向補強部材とにより構成されてなることを特徴とする請求項５記載の鋼床版構造。
【請求項８】
前記縦方向補強部材は、取付部材を介して前記横桁にボルト締めにて固定されたことを特徴とする請求項７記載の鋼床版構造。
【請求項９】
前記縦方向補強部材は、垂直部の上端に前記デッキプレートと平行な水平部を連結するとともに該垂直部の下端に補強部を連結して形成された断面形状をそなえたことを特徴とする請求項７記載の鋼床版構造。
【請求項１０】
前記縦方向補強部材は、垂直部の上端に前記デッキプレートと平行な水平部を連結して形成された丁字状の断面形状をそなえたことを特徴とする請求項７記載の鋼床版構造。
【請求項１１】
走行路の床版を構成するデッキプレートの縦方向（走行線方向）に延設され閉断面に形成された縦リブを該デッキプレートの幅方向に複数個配置して該デッキプレートの下面に固着してなる鋼床版構造において、前記デッキプレートの下面と前記複数個の縦リブとの間の開放空間内に、液体を含む流動体またはコンクリート及び非圧縮性の変形体を含む固体の、何れか一方または双方からなる充填物を充填し、該開放空間をカバー部材で流体密に覆ったことを特徴とする鋼床版構造。
【請求項１２】
走行路の床版を構成するデッキプレートの縦方向（走行線方向）に延設され閉断面に形成された縦リブを該デッキプレートの幅方向に複数個配置して該デッキプレートの下面に固着してなる鋼床版構造において、前記各縦リブの閉断面空間内及び前記デッキプレートの下面と前記複数個の縦リブとの間の開放空間内に、液体を含む流動体またはコンクリート及び非圧縮性の変形体を含む固体の、何れか一方または双方からなる充填物を充填し、前記開放空間をカバー部材で流体密に覆ったことを特徴とする鋼床版構造。
【請求項１３】
前記走行路を走行する車両の車輪を通して負荷される車両荷重の作用部位の下方及びその近傍に位置する、前記各縦リブの閉断面空間内及び開放空間内にのみ、前記充填物を充填したことを特徴とする請求項１２記載の鋼床版構造。
【請求項１４】
走行路の床版を構成するデッキプレートの縦方向（走行線方向）に延設され閉断面に形成された縦リブを該デッキプレートの幅方向に複数個配置して該デッキプレートの下面に固着してなる鋼床版構造において、前記各縦リブの閉断面空間内または前記デッキプレートの下面と前記複数個の縦リブとの間の開放空間内の何れか一方または双方に、前記デッキプレート寄りの上層側とこれよりも下層側との２層に亘って、エラストマー材、コンクリート等の固化可能な材料からなる充填物を充填し、前記上層側の充填物の材料を下層側の充填物の材料よりも固化速度の大きい材料にて構成したことを特徴とする鋼床版構造。
【請求項１５】
走行路の床版を構成するデッキプレートの縦方向（走行線方向）に延設され閉断面に形成された縦リブを該デッキプレートの幅方向に複数個配置して該デッキプレートの下面に固着して構成された鋼床版であって既設の鋼床版を補強する鋼床版の補強方法において、
前記各縦リブの閉断面空間内及び前記デッキプレートの下面と前記複数個の縦リブとの間の開放空間内の何れか一方または双方に対して、前記縦リブの閉断面空間内には該縦リブに、該閉断面空間に連通する充填物注入孔を穿孔してから該充填物注入孔を通して液体または固化可能な流動体の何れか一方からなる充填物を該閉断面空間内に充填し、前記開放空間には開放空間を充填物注入孔を有するカバー部材で覆ってから該充填物注入孔を通して液体または固化可能な流動体の何れか一方からなる充填物を充填することを特徴とする鋼床版の補強方法。
【請求項１６】
走行路の床版を構成するデッキプレートの縦方向（走行線方向）に延設され閉断面に形成された縦リブを該デッキプレートの幅方向に複数個配置して該デッキプレートの下面に固着して構成された鋼床版であって既設の鋼床版を補強する鋼床版の補強方法において、前記走行路を走行する車両の車輪を通して負荷される車両荷重の作用部位の下方及びその近傍に位置する、前記各縦リブの閉断面空間内及び前記デッキプレートの下面と前記複数個の縦リブとの間の開放空間内の何れか一方または双方に対して、前記各縦リブの閉断面空間については該縦リブに該閉断面空間に連通する充填物注入孔を穿孔してから該充填物注入孔を通して該閉断面空間内に液体または固化可能な流動体の何れか一方からなる充填物を充填し、前記開放空間については充填物注入孔を有するカバー部材で該開放空間を覆ってから該充填物注入孔を通して該開放空間内に液体または固化可能な流動体の何れか一方からなる充填物を充填することを特徴とする鋼床版の補強方法。
【請求項１７】
走行路の床版を構成するデッキプレートの縦方向（走行線方向）に延設され閉断面に形成された縦リブを該デッキプレートの幅方向に複数個配置して該デッキプレートの下面に固着して構成された鋼床版であって既設の鋼床版を補強する鋼床版の補強方法において、
前記各縦リブの閉断面空間内及び前記デッキプレートの下面と前記複数個の縦リブとの間の開放空間内の何れか一方または双方に対して、前記閉断面空間については前記各縦リブに前記閉断面空間に連通する充填物注入孔を穿孔し、前記開放空間については充填物注入孔を有するカバー部材で該開放空間を覆い、前記閉断面空間あるいは開放空間の下層側に固化可能な第１の充填物を注入、充填し、次いで該第１の充填物よりも前記デッキプレート寄りの上層側に前記第１の充填物よりも固化速度の大きい材料からなる第２の充填物を注入、充填することを特徴とする鋼床版の補強方法。
【発明の詳細な説明】
【技術分野】
【０００１】
本発明は、橋梁や高架道路における床版等に適用され、走行路の床版を構成するデッキプレートの縦方向に延設され閉断面に形成された縦リブを該デッキプレートの幅方向に複数個配置し該デッキプレートの下面に固着して構成された鋼床版、及び既設の鋼床版の補強方法に関する。
【背景技術】
【０００２】
橋梁や高架道路における床版には、鉄筋により補強されたコンクリートによるいわゆるＲＣ床版と、鋼板を用いる鋼床版とがある。
このうち前記鋼床版は、走行路の床版を構成するデッキプレートの縦方向に延設され閉断面に形成された縦リブを該デッキプレートの幅方向に複数個配置し該デッキプレートの下面に固着して構成されており、従来、かかる鋼床版においてはその強度向上のための技術が多く提案されている。
【０００３】
かかる技術の１つに特許文献１（特開２００１−２４８１１４号公報）の技術がある。かかる技術においては、走行路の床版を構成するデッキプレートの縦方向に延設され閉断面に形成された縦リブを該デッキプレートの幅方向に複数個配置して該デッキプレートの下面に固着してなる鋼床版構造において、前記縦リブの閉断面空間内に、軽量発泡コンクリートからなる充填物を注入し、該閉断面空間内で固化して縦リブ閉鎖空間内におけるデッキプレートの局部曲げ剛性を高めている。
【０００４】
【特許文献１】特開２００１−２４８１１４号公報
【発明の開示】
【発明が解決しようとする課題】
【０００５】
特許文献１にて提供されている従来技術にあっては、縦リブの閉断面空間内に軽量発泡コンクリートからなる充填物を注入し、該閉断面空間内で固化しているが、該コンクリートは注入から固化するまでに比較的長い養生時間（固化時間）を要するため、かかる養生時間中は走行路の交通止めをしなければならない。
また、既設の鋼床版について、縦リブの閉断面空間内に軽量発泡コンクリートを注入、充填する作業は煩雑で多くの工数を要し、鋼床版の維持、補修が煩雑でメインテナンス性に課題がある。
また、軽量発泡コンクリートからなる充填物は体積弾性率が小さいため、縦リブの閉断面空間のような閉鎖領域で使用する場合には車両荷重によるデッキプレートの局部曲げ変形に対して抵抗力を生じ難いため、縦リブとデッキプレートとの溶接接合部における応力集中の緩和による応力低減効果が小さい。
【０００６】
また、前記従来技術にあっては、縦リブの閉断面空間内に軽量発泡コンクリートからなる充填物を注入して、縦リブの閉鎖空間内のみにおけるデッキプレート自体の局部曲げ剛性増大をなしているにとどまり、デッキプレートの下面と縦リブとの間の開放空間部における剛性増大の手段は講じられていない。
【０００７】
従って、本発明はかかる従来技術の課題に鑑み、縦リブの閉断面空間内への充填物の注入、充填作業を簡単化して充填物の注入、充填作業工数を低減するとともにメインテナンス性を向上し、走行路の交通止めを要することなくあるいは短時間の交通止めで以って鋼床版の補強を可能とし、さらに縦リブ及びデッキプレート下面と縦リブとの間の開放空間部の双方における剛性を増大して鋼床版の強度を増大可能とした鋼床版及び該鋼床版の補強方法を提供することを目的とする。
【課題を解決するための手段】
【０００８】
本発明はかかる目的を達成するもので、走行路の床版を構成するデッキプレートの縦方向（走行線方向）に延設され閉断面に形成された縦リブを該デッキプレートの幅方向に複数個配置して該デッキプレートの下面に固着してなる鋼床版構造において、前記縦リブの閉断面空間内に、流動体または非圧縮性の変形体の何れか一方からなる充填物を充填したことを特徴とする。
かかる発明において、前記充填物は、エラストマー材、水等の流体、ゲル状物質等により構成するのが好ましい。
【０００９】
かかる発明によれば、各縦リブの閉断面空間内に充填物を充填することにより該縦リブの剛性が増大して縦リブとデッキプレートとの溶接接合部の応力が低減される。殊に、かかる発明においては、充填物として流動体または非圧縮性の変形体を用いているので、かかる充填物は体積弾性率が高く、閉鎖領域で使用する場合には車両荷重による前記デッキプレートの局部曲げ変形に対して抵抗力を生ずることから、従来のコンクリート充填物等に比べて、縦リブとデッキプレートとの溶接接合部の応力が低減される。
【００１０】
またかかる発明によれば、既設の鋼床版を補強する際において、前記充填物として流動体あるいは非圧縮性の変形体を用いているので、該充填物が水等の流体の場合には走行路上の交通を止めることなく流体を短時間に前記閉断面空間内に注入、充填でき、また該充填物がエラストマー材やゲル状物質等からなる非圧縮性の変形体の場合にも、従来のコンクリート充填物に比べて固化時間がきわめて短くて済むので、走行路上の交通を止める時間を大幅に短縮できる。
さらにかかる発明によれば、縦リブの閉断面空間内に、流動体または非圧縮性の変形体の何れか一方からなる充填物を注入、充填するのみで施工できるので、新設の鋼床版の場合は勿論、既設の鋼床版についても、きわめて簡単かつ少ない工数で以って鋼床版の補強ができ、鋼床版の維持、補修が容易となってメインテナンス性が向上する。  
【００１１】
また本発明は、前記鋼床版構造において、縦リブの閉断面空間内に、液体を含む流動体またはコンクリート及び非圧縮性の変形体を含む固体の、何れか一方または双方からなる充填物を充填するとともに、デッキプレートの下面と縦リブの側部との間に補強部材を架設する。
かかる発明によれば、各縦リブの閉断面空間内に充填物を充填することにより該縦リブ閉鎖空間におけるデッキプレートの局部曲げ剛性が増大するとともに、デッキプレートの下面と縦リブの側部との間に補強部材を架設したことによって複数の縦リブ間連結部におけるデッキプレートの局部曲げ剛性が増大し、結果として各縦リブ自体及び各縦リブの連結構造の剛性が増大して、縦リブとデッキプレートとの溶接接合部の応力の低減効果が大きくなる。
【００１２】
前記補強部材は、次のような形態で設置するのが好ましい。
（１）前記補強部材は、前記縦リブの側部に固定されて縦方向（走行線方向）に伸びる縦方向補強部材あるいは相隣り合う前記縦リブの間に架設されて前記縦方向補強部材とほぼ直角方向に伸び両端部を該縦リブに固定された横方向補強部材のいずれか一方または双方により構成されてなる。
このように構成すれば、縦方向（走行線方向）に伸びて縦リブの側部に固定された縦方向補強部材を設け、あるいは相隣り合う縦リブの間に架設されて両端を該縦リブに固定された横方向補強部材を縦リブの間に直交して設け、または前記縦方向補強部材と横方向補強部材とを併設しているので、各縦リブの連結構造の剛性がさらに増大して、縦リブとデッキプレートとの溶接接合部の応力の低減効果が大きくなる。
【００１３】
（２）前記補強部材は、上面が前記デッキプレートの下面に当接可能に配置されるとともに相隣り合う前記縦リブの間に配設されて該縦リブと同方向に伸び、両端部を横桁に取り付けられた縦方向補強部材とにより構成されてなる。
さらに具体的には前記縦方向補強部材を次のように構成する。
（１）前記縦方向補強部材は、取付部材を介して前記横桁にボルト締めにて固定される。
（２）前記縦方向補強部材は、垂直部の上端に前記デッキプレートと平行な水平部を連結するとともに該垂直部の下端に補強部を連結して形成された断面形状をそなえる。
（３）前記縦方向補強部材は、垂直部の上端に前記デッキプレートと平行な水平部を連結して形成された丁字状の断面形状をそなえる。
このように構成すれば、縦方向補強部材を前記デッキプレートの下面に当接可能に配置して両端部を横桁に取り付けるので、デッキプレート及び各縦リブの連結構造の剛性が増大して、縦リブとデッキプレートとの溶接接合部の応力が低減されるとともに、両端部を横桁に取り付けるのみで該縦方向補強部材を容易に装着可能となるので、既設の橋梁や道路でも溶接等の現地作業を最小限に抑え、あるいは現地での溶接作業を行うことなく鋼床版部の剛性向上が図れる。
【００１４】
また本発明は、前記鋼床版構造において、デッキプレートの下面と複数個の縦リブとの間の開放空間内に、液体を含む流動体またはコンクリート及び非圧縮性の変形体を含む固体の、何れか一方または双方からなる充填物を充填し、該開放空間をカバー部材で流体密に覆ったことにある。
かかる発明によれば、複数個の縦リブ間に充填物を充填して該開放空間をカバー部材で流体密に覆うことにより、該充填物の充填によって複数個の縦リブ間連結部におけるデッキプレートの局部曲げ剛性が増大し、縦リブとデッキプレートとの溶接接合部の応力を低減できる。
【００１５】
また本発明は、前記鋼床版構造において、前記各縦リブの閉断面空間内及び前記デッキプレートの下面と前記複数個の縦リブとの間の開放空間内に、液体を含む流動体またはコンクリート及び非圧縮性の変形体含む固体の、何れか一方または双方からなる充填物を充填し、前記開放空間をカバー部材で流体密に覆ったことを特徴とする。
そして、かかる構成からなる鋼床版の補強方法の発明として、各縦リブの閉断面空間内及びデッキプレートの下面と複数個の縦リブとの間の開放空間内の何れか一方または双方に対して、前記縦リブの閉断面空間内には該縦リブに該閉断面空間に連通する充填物注入孔を穿孔してから該充填物注入孔を通して液体または固化可能な流動体の何れか一方からなる充填物を該閉断面空間内に充填し、前記開放空間には開放空間を充填物注入孔を有するカバー部材で覆ってから該充填物注入孔を通して液体または固化可能な流動体の何れか一方からなる充填物を充填することを特徴とする鋼床版の補強方法を提案する。
かかる発明によれば、各縦リブの閉断面空間内に該縦リブに穿孔した充填物注入孔を通して充填物を充填することにより、該縦リブ自体の閉鎖空間内におけるデッキプレートの局部曲げ剛性が増大するとともに、複数個の縦リブ間にカバー部材に設けた充填物注入孔を通して充填物を充填して、該開放空間をカバー部材で流体密に覆うことにより、複数個の縦リブ間連結部におけるデッキプレートの局部曲げ剛性が増大し、該縦リブとデッキプレートとの溶接接合部の応力低減効果がより大きくなる。
【００１６】
また本発明は、前記鋼床版構造において、走行路を走行する車両の車輪を通して負荷される車両荷重の作用部位の下方及びその近傍に位置する、前記各縦リブの閉断面空間内及び開放空間内にのみ、前記充填物を充填する。
そして、かかる構成からなる鋼床版の補強方法の発明として、走行路を走行する車両の車輪を通して負荷される車両荷重の作用部位の下方及びその近傍に位置する、各縦リブの閉断面空間内及びデッキプレートの下面と複数個の縦リブとの間の開放空間内の何れか一方または双方に対して、前記各縦リブの閉断面空間については該縦リブに該閉断面空間に連通する充填物注入孔を穿孔してから該充填物注入孔を通して該閉断面空間内に液体または固化可能な流動体の何れか一方からなる充填物を充填し、前記開放空間については充填物注入孔を有するカバー部材で該開放空間を覆ってから該充填物注入孔を通して該開放空間内に液体または固化可能な流動体の何れか一方からなる充填物を充填することを特徴とする鋼床版の補強方法を提案する。
かかる発明によれば、車両荷重が局部的に負荷される該車両荷重の作用部位の下方及びその近傍に位置する縦リブの閉断面空間内及び開放空間内にのみ、充填物注入孔を通して液体または固化可能な流動体の何れか一方からなる充填物を充填して剛性を増大する一方、前記車両荷重の作用部位以外の軽荷重部位には、前記充填物の充填による補強を省略するので、充填物の充填による補強作業工数が最小限の工数でかつ最小限の材料コストで以って、デッキプレートと各縦リブとの溶接接合部における所要の応力低減効果を得ることができる。
【００１７】
また本発明は、前記鋼床版構造において、前記各縦リブの閉断面空間内または前記デッキプレートの下面と前記複数個の縦リブとの間の開放空間内の何れか一方または双方に、前記デッキプレート寄りの上層側とこれよりも下層側との２層に亘って、エラストマー材、コンクリート等の固化可能な材料からなる充填物を充填し、前記上層側の充填物の材料を下層側の充填物の材料よりも固化速度の大きい材料にて構成する。
そして、かかる構成からなる鋼床版の補強方法の発明として、前記各縦リブの閉断面空間内及び前記デッキプレートの下面と前記複数個の縦リブとの間の開放空間内の何れか一方または双方に対して、前記閉断面空間については前記各縦リブに前記閉断面空間に連通する充填物注入孔を穿孔し、前記開放空間については充填物注入孔を有するカバー部材で該開放空間を覆い、前記閉断面空間あるいは開放空間の下層側に固化可能な第１の充填物を注入、充填し、次いで該第１の充填物よりも前記デッキプレート寄りの上層側に前記第１の充填物よりも固化速度の大きい材料からなる第２の充填物を注入、充填することを特徴とする鋼床版の補強方法を提案する。
【００１８】
かかる発明によれば、各縦リブの閉断面空間内あるいはデッキプレートの下面と縦リブとの間の開放空間内に、デッキプレート寄りの上層側とこれよりも下層側との２層に亘って充填物を充填するように構成し、先ず閉断面空間あるいは開放空間の下層側にコンクリート等の固化速度が小さくても（養生時間が長くても）低コストの第１の充填物を注入、充填し、次いでデッキプレート寄りの上層側に前記第１の充填物よりも固化速度の大きい材料からなる第２の充填物を注入、充填する。
【００１９】
これにより、前記閉断面空間あるいは開放空間の下層側にコンクリート等の固化速度が小さい第１の充填物を充填した時点では、第１の充填物の上層側つまり該第１の充填物とデッキプレートの下面との間には間隙が存在するので、車両の通行による車輪荷重が掛かっても該第１の充填物側に亀裂の発生はなく、従って走行路における交通止めは不要となる。
さらに、該第１の充填物の上層側の間隙部に充填する第２の充填物は第１の充填物よりも固化速度が大きいため速やかに固化するので、該第２の充填物の充填時にも交通止めは不要となる時間を大幅に短縮できる。
従って、かかる発明によれば、走行路における交通止めを全く不要と時間を大幅に短縮して鋼床版の補強を行い、その強度を高めることができる。
【発明の効果】
【００２０】
本発明によれば、充填物として用いている流動体または非圧縮性の変形体は体積弾性率が高く、閉鎖領域で使用する場合には車両荷重による前記デッキプレートの局部曲げ変形に対して抵抗力を生ずることから、従来のコンクリート充填物等に比べて、縦リブとデッキプレートとの溶接接合部の応力が低減される。
また、既設の鋼床版を補強する際においては、充填物として流動体あるいは非圧縮性の変形体を用いているので、該充填物が水等の流体の場合には走行路上の交通を止めることなく流体を短時間に閉断面空間内に注入、充填でき、該充填物がエラストマー材やゲル状物質等からなる非圧縮性の変形体の場合にも、従来のコンクリート充填物に比べて固化時間がきわめて短くて済むので、走行路上の交通を止める時間を大幅に短縮できる。
さらに、縦リブの閉断面空間内に、流動体または非圧縮性の変形体の何れか一方からなる充填物を注入、充填するのみで施工できるので、新設の鋼床版の場合は勿論、既設の鋼床版についても、きわめて簡単かつ少ない工数で以って鋼床版の補強ができ、鋼床版の維持、補修が容易となってメインテナンス性が向上する。
【００２１】
また本発明によれば、縦リブの閉断面空間内に、液体を含む流動体またはコンクリート及び非圧縮性の変形体を含む固体の、何れか一方または双方からなる充填物を充填するとともに、デッキプレートの下面と縦リブの側部との間に補強部材を架設したので、各縦リブの閉断面空間内に充填物を充填することにより該縦リブの閉鎖空間におけるデッキプレートの局部曲げ剛性が増大するとともに、デッキプレートの下面と縦リブの側部との間に補強部材を架設したことによって複数の縦リブ間連結部におけるデッキプレートの局部曲げ剛性が増大し、結果として各縦リブ自体及び各縦リブの連結構造の剛性が増大して、縦リブとデッキプレートとの溶接接合部の応力の低減効果が大きくなる。
また、前記補強部材を、上面がデッキプレートの下面に当接可能に配置するとともに相隣り合う縦リブの間に配設して該縦リブと同方向に伸び、両端部を横桁に取り付けられた縦方向補強部材により構成すれば、該補強部材を前記デッキプレートの下面に当接可能に配置して両端部を横桁に取り付けるので、前記と同様な溶接接合部の応力低減効果とともに、両端部を横桁に取り付けるのみで補強部材を容易に装着可能となることから、既設の橋梁や道路でも溶接等の現地作業を最小限に抑えて鋼床版部の剛性向上が図れる。
【００２２】
また本発明によれば、デッキプレートの下面と複数個の縦リブとの間の開放空間内に、液体を含む流動体またはコンクリート及び非圧縮性の変形体を含む固体の、何れか一方または双方からなる充填物を充填し、該開放空間をカバー部材で流体密に覆ったので、該充填物の充填によって複数個の縦リブ間連結部におけるデッキプレートの局部曲げ剛性が増大し、縦リブとデッキプレートとの溶接接合部の応力を低減できる。
【００２３】
また本発明によれば、各縦リブの閉断面空間内及び前記デッキプレートの下面と前記複数個の縦リブとの間の開放空間内に、液体を含む流動体またはコンクリート及び非圧縮性の変形体を含む固体の、何れか一方または双方からなる充填物を充填し、前記開放空間をカバー部材で流体密に覆ったので、各縦リブの閉断面空間内に充填物を充填することにより該縦リブ自体の閉鎖空間におけるデッキプレートの局部曲げ剛性が増大するとともに、複数個の縦リブ間に充填物を充填して該開放空間をカバー部材で流体密に覆うことにより複数個の縦リブ間連結部におけるデッキプレートの局部曲げ剛性が増大し、該縦リブとデッキプレートとの溶接接合部の応力低減効果がより大きくなる。
【００２４】
また本発明によれば、走行路を走行する車両の車輪を通して負荷される車両荷重の作用部位の下方及びその近傍に位置する、前記各縦リブの閉断面空間内及び開放空間内にのみ、前記充填物を充填するので、車両荷重が局部的に負荷される該車両荷重の作用部位の下方及びその近傍に位置する縦リブの閉断面空間内及び開放空間内にのみ充填物を充填してデッキプレートの局部曲げ剛性を増大する一方、車両荷重の作用部位以外の軽荷重部位には充填物の充填による補強を省略するので、充填物の充填による補強作業工数が最小限の工数でかつ最小限の材料コストで以って、デッキプレートと各縦リブとの溶接接合部における所要の応力低減効果を得ることができる。
【００２５】
また本発明によれば、各縦リブの閉断面空間内またはデッキプレートの下面と前記複数個の縦リブとの間の開放空間内の何れか一方または双方に、デッキプレート寄りの上層側とこれよりも下層側との２層に亘って、エラストマー材、コンクリート等の固化可能な材料からなる充填物を充填するようにし、上層側の充填物の材料を下層側の充填物の材料よりも固化速度の大きい材料にて構成し、閉断面空間あるいは開放空間の下層側にコンクリート等の固化速度が小さい第１の充填物を注入、充填し、次いで上層側に第１の充填物よりも固化速度の大きい材料からなる第２の充填物を注入、充填するので、前記下層側に第１の充填物を充填した時点では、該第１の充填物とデッキプレートの下面との間における間隙の存在により、車輪荷重による該第１の充填物側の亀裂の発生はなく、従って走行路における交通止めは不要となる。
さらに、該第１の充填物の上層側の間隙部に充填する第２の充填物は第１の充填物よりも固化速度が大きいことから速やかに固化するので、該第２の充填物の充填時にも交通止めは不要となり時間は大幅に短縮され、結果的に、走行路における交通止め時間を大幅に短縮を全く不要として鋼床版の補強を行い、その強度を高めることが可能となる。
【発明を実施するための最良の形態】
【００２６】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００２７】
図１は本発明の第１実施例に係る鋼床版におけるデッキプレートと縦リブとの溶接接合部近傍の部分正面図（走行路線方向に視た図）である。図２は第２実施例を示す図１対応図、図３は第３実施例を示す図１対応図である。図４は第４実施例を示し、（Ａ）は図１対応図、（Ｂ）は（Ａ）におけるＡ−Ａ線断面図、（Ｃ）はＡにおけるＢ−Ｂ線断面図である。
図５は第５実施例を示し、（Ａ）は図１対応図、（Ｂ）は鋼床版の道路幅方向の構造図である。図６は本発明が適用される橋梁の鋼床版構造部の斜視図である。図７は第６実施例を示し（Ａ）は充填物の充填後の状態を示す図１対応図、（Ｂ）は充填物の注入状態を示す図１対応図である。図８は前記第６実施例における縦リブへの充填物の注入要領を示し（Ａ）は下層部への充填物の充填後の状態を示す図１対応図、（Ｂ）は（Ａ）におけるＣ−Ｃ線断面図である。
図９は第７実施例を示す図１対応図である。図１０は前記第７実施例における図９のＥ矢視図である。図１１は前記第７実施例における図９のＤ−Ｄ矢視図である。図１２は第８実施例を示す図１対応図である。図１３は第９実施例を示す補強部材の要部正面図である。
【００２８】
本発明が適用される橋梁の鋼床版構造部を示す図６において、１００は鋼床版、１は該鋼床版１００の床版を構成するデッキプレート、４は該デッキプレート１の走行路側上面である。３５は前記デッキプレート１の下面に固定されて走行線方向に沿って複数個設けられた横桁である。２はデッキプレート１の縦方向（走行線方向）に延設された縦リブで、該デッキプレート１の幅方向に複数個配置されて該デッキプレート１の下面に溶接により固着されている。２ａは溶接接合部である。３は前記デッキプレート１の下面から垂下された橋桁である。
本発明は、かかる鋼床版１００におけるデッキプレート１及び縦リブ２の補強構造及び補強方法に係るものである。
【実施例１】
【００２９】
第１実施例を示す図１において、１はデッキプレート、２は該デッキプレート１の下面に溶接により固着された（２ａは溶接接合部）複数の縦リブで、略Ｕ字状断面の閉断面に形成され、両上端部が前記デッキプレート１に溶接されている。
各縦リブ２の内部つまり閉断面空間には、流動体または非圧縮性の変形体等からなる充填物１０が充填されている。該充填物１０は水等の流体、あるいはエラストマー材、ゲル状物質等の非圧縮性の変形体からなり、何れも前記縦リブ２の閉断面空間への注入時には該に縦リブ２に設けた注入孔（図示省略）を通して注入可能な材料からなる。３は橋桁である。
【００３０】
かかる構成からなる鋼床版１００において、前記デッキプレート１の走行側上面４（図６参照）の上側に設けられている走行路上を走行する車両による車両荷重は、デッキプレート１及び複数の縦リブ２に局部曲げ荷重で負荷され、前記各縦リブ２とデッキプレート１との溶接接合部２ａには該曲げ荷重による応力集中を伴う応力（引張応力あるいは圧縮応力）が発生する。
【００３１】
然るにかかる実施例によれば、各縦リブ２の閉断面空間内に充填物１０を充填しているので、該充填物１０によって各縦リブ２の閉鎖空間におけるデッキプレートの局部曲げ剛性が増大し、該縦リブ２とデッキプレート１との溶接接合部２ａにおける前記応力集中が緩和されて該溶接接合部２ａの応力が低減される。
殊に、かかる実施例においては、前記充填物１０として非圧縮性の変形体であるエラストマー材を用いているので、かかる充填物１０は体積弾性率が高く、前記閉断面空間内のような閉鎖領域で使用する場合には車両荷重による前記デッキプレート１の局部曲げ変形に対して抵抗力を生ずる。これにより、非圧縮性の変形体であるエラストマー材を充填物１０として用いることにより、従来のコンクリート充填物等に比べて、縦リブ２とデッキプレート１との溶接接合部２ａにおける応力が低減される。
【００３２】
またかかる実施例によれば、既設の鋼床版１００を補強する際においては、前記充填物１０として水等の流体あるいはエラストマー材、ゲル状物質等の非圧縮性の変形体を用いているので、該充填物１０が水等の流体の場合には走行路上の交通を止めることなく流体を短時間に前記各縦リブ２の閉断面空間内に注入、充填できる。
また該充填物１０がエラストマー材、ゲル状物質等の非圧縮性の変形体の場合にも、従来のコンクリート充填物に比べて固化時間がきわめて短くて済むので、走行路上の交通を止める時間を大幅に短縮できる。
【００３３】
さらにかかる実施例によれば、前記縦リブ２の閉断面空間内に、水等の流体またはエラストマー材、ゲル状物質等の非圧縮性の変形体等からなる充填物１０を注入、充填するのみで鋼床版１００を補強を施工できるので、新設の鋼床版１００の場合は勿論、既設の鋼床版１００についても、きわめて簡単かつ少ない工数で以って鋼床版１００の補強ができる。
【実施例２】
【００３４】
図２に示す第２実施例においては、前記デッキプレート１の下面と複数個の縦リブ２との間の開放空間内に、充填物１０を封入、充填し、該充填物１０が充填された該開放空間をカバー部材１１で流体密に覆い、該カバー部材１１を複数のボルト１２で縦リブ２に締め付けている。尚、図において３は橋桁である。
尚、前記充填物１０は前記第１実施例のような水等の流体またはエラストマー材、ゲル状物質等の非圧縮性の変形体が好適であるが、液体を含む流動体や、コンクリート等の充填時に流動性を有する固体であってもよい。
かかる実施例によれば、複数個の縦リブ２間に充填物１０を充填して該開放空間をカバー部材１１で流体密に覆うことにより、該充填物１０の充填によって複数個の縦リブ２間連結部におけるデッキプレートの局部曲げ剛性が増大し、該縦リブ２とデッキプレート１との溶接接合部２ａの応力が低減される。
【実施例３】
【００３５】
図３に示す第３実施例においては、前記各縦リブ２の閉断面空間内及び前記デッキプレート１の下面と複数個の縦リブ２との間の開放空間内に充填物１０を充填している。前記該充填物１０が充填された開放空間は、前記第２実施例と同様に、該充填物１０が充填された該開放空間をカバー部材１１で流体密に覆い、該カバー部材１１を複数のボルト１２で縦リブ２に締め付けている。尚、図において３は橋桁、５は走行車両の車輪である。
前記充填物１０は前記第１実施例のような水等の流体またはエラストマー材、ゲル状物質等の非圧縮性の変形体が好適であるが、液体を含む流動体や、コンクリート等の充填時に流動性を有する固体であってもよい。
かかる実施例によれば、各縦リブ２の閉断面空間内に該縦リブ２に充填物１０を充填することにより、該縦リブ２自体の閉鎖空間におけるデッキプレートの局部曲げ剛性が増大するとともに、複数個の縦リブ２間の開放空間にも充填物１０を充填して、該開放空間をカバー部材１１で流体密に覆うことにより、複数個の縦リブ２間連結部におけるデッキプレートの局部曲げ剛性が増大し、該縦リブ２とデッキプレート１との溶接接合部２ａの応力低減効果がより大きくなる。
【実施例４】
【００３６】
図４（Ａ）、（Ｂ）、（Ｃ）に示す第４実施例においては、前記各縦リブ２の閉断面空間内に、充填物１０を充填するとともに、デッキプレート１の下面と各縦リブ２の側部との間に縦方向（走行線方向）の補強板１４及び横方向（走行路幅方向）の補強板１３を架設している。尚、該縦方向（走行線方向）の補強板１４あるいは横方向（走行路幅方向）の補強板１３はいずれか一方を設けてもよい。
前記充填物１０は前記第１実施例のような水等の流体またはエラストマー材、ゲル状物質等の非圧縮性の変形体が好適であるが、液体を含む流動体や、コンクリート等の充填時に流動性を有する固体であってもよい。尚、図において３は橋桁である。
かかる実施例によれば、各縦リブ１２の閉断面空間内に充填物１０を充填することにより該縦リブ２の閉鎖空間におけるデッキプレートの局部曲げ剛性が増大するとともに、デッキプレート１の下面と各縦リブ２の側部との間に直角な２方向の補強板１４または１３を架設したことによって、複数の縦リブ２間連結部におけるデッキプレートの局部曲げ剛性が増大し、結果として各縦リブ２自体及び各縦リブ２の連結構造の剛性が増大して、該縦リブ２とデッキプレート１との溶接接合部２ａの応力の低減効果が大きくなる。
【００３７】
前記第１〜第４実施例において、各縦リブ２の閉断面空間内に充填物１０を充填するにあたっては、該縦リブ２に該閉断面空間に連通する充填物注入孔（図示省略）を穿孔してから、該充填物注入孔を通して該閉断面空間内に流動状態にある充填物１０を注入、充填する。
また、前記デッキプレート１の下面と複数個の縦リブ２との間の開放空間内に充填物１０を充填するにあたっては、カバー部材１１に充填物注入孔（図示省略）を設けて該カバー部材１１により前記開放空間を覆ってから、該充填物注入孔を通して該開放空間内に流動状態にある充填物１０を注入、充填する。
【実施例５】
【００３８】
図５（Ａ）、（Ｂ）に示す第５実施例においては、前記デッキプレート１の上方にある走行路を走行する車両の車輪を通して負荷される車両荷重の作用部位の下方及びその近傍に位置する、前記各縦リブ２の閉断面空間内及び前記デッキプレート１の下面と複数個の縦リブ２との間の開放空間内にのみ、前記充填物１０を充填している。
前記充填物１０を充填するにあたっては、前記各縦リブ２の閉断面空間については、該縦リブ２に該閉断面空間に連通する充填物注入孔（図示省略）を穿孔してから、該充填物注入孔を通して該閉断面空間内に流動状態にある充填物１０を注入、充填する。  
また、前記開放空間については、カバー部材１１に充填物注入孔（図示省略）を設けて該カバー部材１１により前記開放空間を覆ってから、該充填物注入孔を通して該開放空間内に流動状態にある充填物１０を注入、充填する。
前記充填物１０は前記第１実施例のような水等の流体またはエラストマー材、ゲル状物質等の非圧縮性の変形体が好適であるが、液体を含む流動体や、コンクリート等の充填時に流動性を有する固体であってもよい。
【００３９】
かかる実施例によれば、車両荷重が局部的に負荷される該車両荷重の作用部位の下方及びその近傍に位置する縦リブ２の閉断面空間内、及びデッキプレート１の下面と複数個の縦リブ２との間の開放空間内内にのみ、充填物注入孔を通して流動状態にある充填物１０を充填して閉鎖空間におけるデッキプレートの局部曲げ剛性を増大する一方、前記車両荷重の作用部位以外の軽荷重部位には、前記充填物１０の充填による補強を省略するので、該充填物１０の充填による補強作業工数を最小限の工数でかつ最小限の材料コストで以って、デッキプレート１と各縦リブ２との溶接接合部２ａにおける所要の応力低減効果を得ることができる。
【実施例６】
【００４０】
図７（Ａ）、（Ｂ）及び図８（Ａ）、（Ｂ）に示す第６実施例においては、前記各縦リブ２の閉断面空間内及び前記デッキプレート１の下面と前記複数個の縦リブ２との間の開放空間内の何れか一方または双方に、前記デッキプレート１から離れた下層側にコンクリート等の固化速度は小さいが低コストの第１の充填物２０を充填し、デッキプレート１寄りの上層側にエラストマー材等の前記第１の充填物２０よりも固化速度の大きい材料からなる第２の充填物２１を充填している。その他の構成は、前記第２、第３実施例と同様であり、これと同一の部材は同一の符号で示す。
【００４１】
かかる第１、第２の充填物２０、２１を充填するにあたっては、図７（Ｂ）及び図８（Ａ）、（Ｂ）に示すように、前記縦リブ２の閉断面空間内、及びデッキプレート１の下面と複数個の縦リブ２との間の開放空間内の上部空間に連通する充填物注入装置２３を前記縦リブ２の底部及び前記開放空間のカバー部材１１に取り付ける。
そして、図８（Ａ）、（Ｂ）に示すように、先ず前記閉断面空間及び前記開放空間の下層側にコンクリート等の固化速度が小さくても（養生時間が長くても）低コストの第１の充填物２０を注入、充填する。このとき、該第１の充填物２０の上層側つまり該第１の充填物２０とデッキプレート１の下面との間に間隙部２５が存在するように、該第１の充填物２０の注入量を調整する。前記間隙部２５の空気は、前記縦リブ２の長手方向適所から排出する。
次いで、前記デッキプレート１寄りの上層側に形成されている前記間隙部２５に、エラストマー材等の前記第１の充填物２０よりも固化速度の大きい材料からなる第２の充填物２１を注入、充填する。
【００４２】
かかる実施例によれば、前記閉断面空間あるいは開放空間の下層側にコンクリート等の固化速度が小さい第１の充填物２０を充填した時点では、該第１の充填物２０の上層側つまり該第１の充填物２０とデッキプレート１の下面との間には間隙部２５が形成されているので、車両の通行による車輪荷重が掛かっても該第１の充填物２０側に亀裂の発生はなく、従って走行路における交通止めは不要となる。
さらに、該第１の充填物２０の上層側の間隙部２５に充填する第２の充填物２１は前記第１の充填物２０よりも固化速度が大きいため速やかに固化するので、該第２の充填物２１の充填時にも交通止めは不要となる時間を大幅に短縮できる。
従って、かかる実施例によれば、走行路における交通止めを全く不要として時間を大幅に短縮して鋼床版１００の補強を行い、その強度を高めることができる。
【実施例７】
【００４３】
図９〜図１１に示す第７実施例においては、相隣り合う前記各縦リブ２，２の間に該縦リブ２と同方向つまり走行線方向に伸びる縦方向補強部材３０を設けている。
即ち図９〜図１１において、３０は縦方向補強部材で、垂直部３０ａと、該垂直部３０ａの上端に連結された水平部３０ｂと、該垂直部３０ａの下端に連結された補強部３０ｃとにより形成される。前記水平部３０ｂの上面は、前記デッキプレート１の下面に接着材３３により接着されている（接着材３３を用いずに、該水平部３０ｂの上面をデッキプレート１の下面に当接させるのみでもよい）。
前記縦方向補強部材３０は、図１１に示されるように、横桁３５の間毎に複数個設けられ、その両端部にボルト３２により固定されたＬ字状の取付部材３１を介して前記横桁３５の両面にボルト３２によって固定されている。
また、前記縦方向補強部材３０は、垂直部３０ａと補強部３０ｃとを一体化して、ＪＩ
Ｓ  Ｇ３１９２の球平型鋼を用いることもできる。
【実施例８】
【００４４】
図１２に示す第８実施例においては、前記縦方向補強部材３０をコの字状断面を有する
鋼材、いわゆるチャンネル鋼材で構成している。この場合は規格品をそのまま使用でき、また該縦方向補強部材３０を溶接を伴うことなく一体形成できるので、該縦方向補強部材３０の製造コストが低減される。
【実施例９】
【００４５】
また、図１３に示す第９実施例においては、前記縦方向補強部材３０は、垂直部３０ａの上端に前記デッキプレート１と平行な水平部３０ｂを連結して形成された丁字状の断面形状をそなえている。
【００４６】
前記第７〜第９実施例によれば、前記縦方向補強部材３０を前記デッキプレート１の下面に当接可能に配置して両端部をＬ字状の取付部材３１を介して前記横桁３５に取り付けるので、デッキプレート１及び各縦リブ２の連結構造の剛性が増大して、縦リブ２とデッキプレート１との溶接接合部の応力が低減されるとともに、前記縦方向補強部材３０両端部を横桁３５に取り付けるのみで該縦方向補強部材３０を容易に装着可能となるので、既設の橋梁や道路でも溶接等の現地作業を最小限に抑え、あるいはボルト締めのみで現地での溶接作業を行うことなく鋼床版部の剛性向上が図れる。
【産業上の利用可能性】
【００４７】
本発明によれば、縦リブの閉断面空間内への充填物の注入、充填作業を簡単化できて、充填物の注入、充填作業工数を低減することができ、メインテナンス性が向上して、走行路の交通止めを要することなくあるいは短時間の交通止めで以って鋼床版の補強を可能となり、さらに縦リブ及びデッキプレート下面と縦リブとの間の開放空間部の双方における剛性が増大して鋼床版の強度が増大された鋼床版及びその補強方法を提供できる。
【図面の簡単な説明】
【００４８】
【図１】本発明の第１実施例に係る鋼床版におけるデッキプレートと縦リブとの溶接接合部近傍の部分正面図（走行路線方向に視た図）である。
【図２】第２実施例を示す図１対応図である。
【図３】第３実施例を示す図１対応図である。
【図４】第４実施例を示し、（Ａ）は図１対応図、（Ｂ）は（Ａ）におけるＡ−Ａ線断面図、（Ｃ）はＡにおけるＢ−Ｂ線断面図である。
【図５】第５実施例を示し、（Ａ）は図１対応図、（Ｂ）は鋼床版の道路幅方向の構造図である。
【図６】本発明が適用される橋梁の鋼床版構造部の斜視図である。
【図７】第６実施例を示し（Ａ）は充填物の充填後の状態を示す図１対応図、（Ｂ）は充填物の注入状態を示す図１対応図である。
【図８】前記第６実施例における縦リブへの充填物の注入要領を示し（Ａ）は下層部への充填物の充填後の状態を示す図１対応図、（Ｂ）は（Ａ）におけるＣ−Ｃ線断面図である。
【図９】第７実施例を示す図１対応図である。
【図１０】前記第７実施例における図９のＥ矢視図である。
【図１１】前記第７実施例における図９のＤ−Ｄ矢視図である。
【図１２】第８実施例を示す図１対応図である。
【図１３】第９実施例を示す補強部材の要部正面図である。
【符号の説明】
【００４９】
１００    鋼床版
１    デッキプレート
２    縦リブ
２ａ    溶接接合部
３    橋桁
４    走行路側上面
１０    充填物
１１    カバー部材
１２    ボルト
１３、１４    補強板
２０    第１の充填物
２１    第２の充填物
２３    充填物注入装置
３０    縦方向補強部材
【図１】
2005240537.tif 000003
【図２】
2005240537.tif 000004
【図３】
2005240537.tif 000005
【図４】
2005240537.tif 000006
【図５】
2005240537.tif 000007
【図６】
2005240537.tif 000008
【図７】
2005240537.tif 000009
【図８】
2005240537.tif 000010
【図９】
2005240537.tif 000011
【図１０】
2005240537.tif 000012
【図１１】
2005240537.tif 000013
【図１２】
2005240537.tif 000014
【図１３】
2005240537.tif 000015